(57)【要約】【課題】ソレノイドやモータなどのメカトロ部品を用いずに、簡単な構成でカバーのロックおよび解除が可能でコストを抑制するとともに、異常発生時の操作不能を回避する。【解決手段】記録ヘッドを搭載したキャリッジ１１を備え、前記キャリッジ１１をプロッタ部内で主走査方向に走行させて記録を行う画像形成装置において、前記プロッタ部を開放可能な開閉カバー２を有し、該開閉カバー２をロック及びロック解除するロック機構２０を備え、前記ロック機構２０は、前記キャリッジ１１の走行に直接連動して回動し、前記開閉カバー２のロックとロック解除とを切り替える。【選択図】図３
2010269514.tif 000002
【特許請求の範囲】
【請求項１】
記録ヘッドを搭載したキャリッジを備え、前記キャリッジをプロッタ部内で主走査方向に走行させて記録を行う画像形成装置において、
前記プロッタ部を開放可能な開閉カバーを有し、該開閉カバーをロック及びロック解除するロック機構を備え、
前記ロック機構は、前記キャリッジの走行に直接連動して前記開閉カバーのロックとロック解除とを切り替えることを特徴とする画像形成装置。
【請求項２】
前記ロック機構は、前記キャリッジに押圧されて移動する切替部材と、該切替部材に連動して移動するロック部材とを有することを特徴とする、請求項１に記載の画像形成装置。
【請求項３】
前記切替部材と前記ロック部材とが回転軸の同軸上に設けられることを特徴とする、請求項２に記載の画像形成装置。
【請求項４】
前記ロック機構が、前記キャリッジのホームポジション側に配置されることを特徴とする、請求項１〜３のいずれか１項に記載の画像形成装置。
【請求項５】
前記開閉カバー内に前記ロック部材により動作される伝達部材が配置され、該伝達部材が前記ロック機構と主走査方向における反対側で前記開閉カバーをロック可能に設けられていることを特徴とする、請求項４に記載の画像形成装置。
【請求項６】
前記キャリッジに、前記切替部材と当接する押圧部が複数設けられ、該複数の押圧部が主走査方向と直交する方向にずれて配置されることを特徴とする、請求項２に記載の画像形成装置。
【請求項７】
当該画像形成装置がインクジェット方式の装置であることを特徴とする、請求項１〜６のいずれか１項に記載の画像形成装置。
【発明の詳細な説明】
【技術分野】
【０００１】
本発明は、記録ヘッドを搭載したキャリッジを走行させて画像記録を行う画像形成装置に関し、特に、プロッタ部を覆うカバーの開閉を規制するロック機構に関するものである。
【背景技術】
【０００２】
インクジェット方式の画像形成装置は、ファクシミリやプリンタとして広く利用されている。通常、インクジェット方式の画像形成装置においては、プリントヘッドの交換やジャム処理のために、ユーザが開閉可能なカバーを備えているが、そのカバーを開けたときに、装置構成によっては用紙搬送部や記録部に手が届いてしまうものがあり、手指に怪我をしたり感電するおそれがあった。
【０００３】
そのため、従来のインクジェット方式の画像形成装置では、上記カバーの開閉をロックできるロック機構を備えるものがある。例えば、特開２００６−２３１７３９号公報（特許文献１）には、ソレノイドによりロック部材を移動させ、上記カバーの開放を許可及び禁止するロック機構を備える画像形成装置が開示されている。
【発明の概要】
【発明が解決しようとする課題】
【０００４】
しかしながら、ソレノイドやモータなどのメカトロ部品を用いたロック機構の場合、プリントヘッドを搭載したキャリッジの移動タイミングに合わせてソレノイドやモータを制御する必要があり、制御が煩雑になるという問題がある。また、ソレノイドやモータを用いるために、コストが増加するという問題もある。
【０００５】
さらに、メカトロ部品を使用してカバーの開閉を規制する場合、ジャムや電源トラブルによる突然の異常発生時に、ロック部の規制がかかったままになるか、ユーザによる操作が不能になることがあるという問題がある。それを防ぐためには、センサ及び煩雑な制御が必要になってしまう。
【０００６】
本発明は、従来のインクジェット方式等の画像形成装置における上述の問題を解決し、ソレノイドやモータなどのメカトロ部品を用いずに、簡単な構成でカバーのロックおよび解除が可能でコストを抑制できるとともに、異常発生時の操作不能を回避することのできる画像形成装置を提供することを課題とする。
【課題を解決するための手段】
【０００７】
前記の課題は、本発明により、記録ヘッドを搭載したキャリッジを備え、前記キャリッジをプロッタ部内で主走査方向に走行させて記録を行う画像形成装置において、前記プロッタ部を開放可能な開閉カバーを有し、該開閉カバーをロック及びロック解除するロック機構を備え、前記ロック機構は、前記キャリッジの走行に直接連動して前記開閉カバーのロックとロック解除とを切り替えることにより解決される。
【０００８】
また、前記ロック機構は、前記キャリッジに押圧されて移動する切替部材と、該切替部材に連動して移動するロック部材とを有すると好ましい。
また、前記切替部材と前記ロック部材とが回転軸の同軸上に設けられると好ましい。
【０００９】
また、前記ロック機構が、前記キャリッジのホームポジション側に配置されると好ましい。
また、前記開閉カバー内に前記ロック部材により動作される伝達部材が配置され、該伝達部材が前記ロック機構と主走査方向における反対側で前記開閉カバーをロック可能に設けられていると好ましい。
【００１０】
また、前記キャリッジに、前記切替部材と当接する押圧部が複数設けられ、該複数の押圧部が主走査方向と直交する方向にずれて配置されると好ましい。
また、当該画像形成装置がインクジェット方式の装置であると好ましい。
【発明の効果】
【００１１】
本発明の画像形成装置によれば、印字中などの危険がある状態での開閉カバーの開放を禁止してユーザによる不用意なカバーの開放を防止するとともに、キャリッジに搭載した印字ヘッドの乾燥なども防止することができる。また、ソレノイドやモータなどのメカトロ部品を用いないので、制御が複雑になることもなく、簡単な構成で低コストにカバーのロックおよび解除を可能にすることができる。さらに、メカトロ部品を用いないことにより、異常発生時におけるロック部の規制がかかったままになったり、操作不能になることもない。
【００１２】
請求項２の構成により、切替部材とロック部材とが連動して移動する構成によって、キャリッジの走行に直接連動して開閉カバーのロックとロック解除とを切り替えを簡単な構成で実現することができる。
【００１３】
請求項３の構成により、切替部材とロック部材を確実に連動させ、ロック機構の切り替え動作を確実かつ安定的に行うことができる。
請求項４の構成により、キャリッジの待機時にカバーをロック解除し、かつ装置動作中にカバーをロックするロック機構を簡単な構成で実現することができる。
【００１４】
請求項５の構成により、開閉カバーの片開きを防止しして、カバーを確実にロックすることができる。
請求項６の構成により、キャリッジの移動方向によってロック機構の動作を変えることが可能となり、容易にカバーのロックとロック解除とを切り替えることができる。
【００１５】
請求項７の構成により、インクジェット方式の画像形成装置に適したカバーロック機構を提供することができる。
【図面の簡単な説明】
【００１６】
【図１】本発明に係るインクジェットプリンタの一例を示す外観斜視図である。
【図２】そのインクジェットプリンタの内部構成を示す断面図である。
【図３】ロック機構を備える上カバー２を模式的に示す図である。
【図４】ロック機構の斜視図である。
【図５】ロック機構の各部の構成を示す図である。
【図６】通常印字動作時のロック機構の切り替え動作を示す模式図である。
【図７】ジャム発生時のロック機構の切り替え動作を示す模式図である。
【図８】カバーの片開きを防止する構成を示す平面図である。
【図９】片開き防止の他の構成を示す図である。
【発明を実施するための形態】
【００１７】
以下、本発明の実施の形態を図面に基づいて説明する。
図１は、本発明に係るインクジェットプリンタの一例を示す外観斜視図である。また、図２は、そのインクジェットプリンタの内部構成を示す断面図である。これらの図において、プリンタ本体１の上面は開閉可能な上カバー２となっており、この上カバー２を開放することによって、本体内部のプロッタ部１０にアクセス可能となる。本体手前の片側（図１の右側）部分は、４色のインクカートリッジ（図示せず）をセットするカートリッジ収納部３となっている。カートリッジ収納部３の前面は右前カバー４で覆われ、インクカートリッジの交換は右前カバー４を開放して行う。また、カートリッジ収納部３の上面は操作部５となっている。装置本体１の前面側には排紙トレイ６が設けられ、その下部には本体給紙トレイ７が設けられる。図２に示されるように、本体給紙トレイ７内には用紙押上げ板８が設けられ、セットされた用紙を給紙位置に押し上げる。本体給紙トレイ７から給紙された用紙は、搬送ベルト９により搬送され、印字後の用紙は排紙トレイ６に排出される。
【００１８】
本体内部のプロッタ部１０は、ヘッドユニット１２を搭載するキャリッジ１１が、主走査レール（キャリッジロッド）１３，１４に案内され、図示しないタイミングベルトによって主走査方向（図２の図面に垂直な方向）に往復運動しながら画像記録を行う。本実施形態では、インクカートリッジをヘッド（及びキャリッジ）とは別にして装置本体に搭載するタイプのものであるが、インクカートリッジをヘッドと共にキャリッジに搭載する構成も可能である。
【００１９】
図３は、ロック機構を備える上カバー２を模式的に示す図である。なお、図３では、本体給紙トレイ７（Ａ）の下に、オプションの追加トレイ７（Ｂ）を装着した状態で示してある。図３に示すように、上カバー２は、主走査方向の左右両側にある支持アーム１８Ｌ，１８Ｒにヒンジ１７，１７よって支持され、このヒンジを支点として開閉可能に設けられている。プロッタ部で用紙がジャムした場合には、この上カバー２を開放してジャム処理を行う。キャリッジ１１は、上カバー２の下方に位置するプロッタ部内を往復運動して画像記録を行う。図において右側の支持アーム１８Ｒ部には、ロック機構２０が設けられる。ロック機構２０については図４，５を参照して詳しく説明する。
【００２０】
図３〜５において、支持アーム１８Ｒに回転軸３０が回転可能に支持されている。回転軸３０の下端部は支持アーム１８Ｒの下方に突出されている。回転軸３０の上部にはロック部材２１が軸から直角に突設されている。このロック部材２１は支持アーム１８Ｒの内部で回転できるようになっている。また、回転軸３０の下部には十文字状の切替レバー２４が軸３０から突設されている。この切替レバー２４は支持アーム１８Ｒの外部に（アーム１８Ｒの下方に）位置しており、プロッタ部１０内で回転できるようになっている。ロック部材２１と切替レバー２４は同軸上に設けられ、切替レバー２４とロック部材２１は、回転軸３０の回動に伴って連動して作動することになる。図５（ａ）に、ロック機構部を側面から見た様子をキャリッジ１１及び上カバー２の一部と共に示す。
【００２１】
ロック部材２１は、回転軸３０を中心としてその両側にアーム２２，２３が一直線状に延びた形状となっている。切替レバー２４は、回転軸３０を中心として４本のアーム部２５，２６，２７，２８が９０度の角度で延び、十字状の平面形状となっている。図５（ｂ）に、同軸上に設けられたロック部材２１及び切替レバー２４の上面図を示す。
【００２２】
切替レバー２４の４本のアーム部２５，２６，２７，２８にはそれぞれ、少なくとも２つ以上の切替凸部が備えられる。本例では、各アーム部にそれぞれ切替凸部２９Ａ，２９Ｂが設けられ、１本のアーム部にそれぞれ２つの切替凸部が設けられた構成である。各切替凸部２９Ａ，２９Ｂについては後述する。
【００２３】
図５（ａ）に示すように、キャリッジ１１の上面には、２つの押圧凸部３１，３２が突設されている。この押圧凸部３１，３２は、キャリッジ１１の主走査方向の移動に伴い、それぞれ切替レバー２４の各アーム部の切替凸部２９Ａまたは２９Ｂに当接して押圧することでロック機構２０を回転させ、ロック機構の状態を切り替える。押圧凸部３１，３２は、図５（ｃ）から分かるように、それぞれキャリッジ１１の主走査方向の両端部付近に配置されている。
【００２４】
また、図５（ａ）から分かるように、押圧凸部３１，３２は、副走査方向にずれて配置される。キャリッジ１１の押圧凸部３１，３２が副走査方向にずれて配置されることにより、キャリッジ１１が主走査方向に移動したとき、一方の押圧凸部３１は、切替レバー２４の各アーム部の中心側の切替凸部２９Ａに相対する位置を通過し、もう一方の押圧凸部３２は、各アーム部の外側の切替凸部２９Ｂに相対する位置を通過することになる。なお、図５（ａ）で示すアーム部２６の場所に各アーム部が位置したときに、そのアーム部の切替凸部２９Ａ及び２９Ｂに押圧凸部３１，３２が相対することになり、この場所を「作動位置」と呼ぶことにする。すなわち、４本のアーム部２５〜２８は、ロック機構２０の回転によって「作動位置」に位置したときにキャリッジ１１の押圧凸部３１，３２に相対する。
【００２５】
また、４本のアーム部２５，２６，２７，２８に設けた切替凸部２９Ａ及び２９Ｂは、高さ（下方への突出量）が２種類あり、大きいほうの切替凸部はキャリッジ１１の押圧凸部３１，３２に当接してロック機構２０を回転させるが、小さいほうの切替凸部はキャリッジ１１の押圧凸部３１，３２に当接せず、ロック機構２０を回転させることはない。各アームの切替凸部２９Ａ及び２９Ｂの大小については後述する。
【００２６】
そして、図４に示すように、上カバー２の、支持アーム１８に対向する側面には、凹部１９が設けられている。上カバー２を閉めた状態でロック機構２０が回転してロック部材２１の先端部が該凹部に挿入されることで、上カバー２の開放を禁止する（開放不能にロックする）ようになっている。また、ロック部材２１の先端部が凹部１９から外れることで、上カバー２のロックが解除される。
【００２７】
次に、キャリッジ１１の主走査方向の移動によるロック機構の切り替え（ロック及びロック解除の切り替え）動作について説明する。
まず、図６を参照して通常印字動作時のロック機構の切り替えについて説明する。なお、図６の左側の列は、プロッタ部を下方から見上げた下面図となっており、図の上方が装置前面、下方が装置奥側となっている。図６の中央列は、ロック機構２０における切替レバー２４とロック部材２１の状態を個別に示したものである。図６の右側の列は、ロック機構２０とキャリッジ１１の関係を側面から見た様子で示したものである。
【００２８】
図６（ａ）は待機時の状態を示しており、キャリッジ１１はホームポジションに位置している。前述したように、ロック機構２０の切替レバー２４は、４本のアーム部２５，２６，２７，２８を有しており、各アーム部にはそれぞれ２つの切替凸部２９Ａ及び２９Ｂが設けられている。アーム部２５の２つの切替凸部は、内側（軸心側）の切替凸部２９Ａがキャリッジ１１の押圧凸部３１，３２に当接しない高さの「小」タイプである。また、外側の切替凸部２９Ｂはキャリッジ１１の押圧凸部３１，３２に当接する高さの「大」タイプである。図では、「大」タイプの切替凸部を黒四角で、「小」タイプの切替凸部を白四角で示してある。アーム部２６及びアーム部２８の２つの切替凸部も、アーム部２５と同じく、内側の切替凸部２９Ａが「小」タイプであり、外側の切替凸部２９Ｂが「大」タイプとなっている。すなわち、アーム部２５，２６，２８の各２つの切替凸部は内側の切替凸部２９Ａが「小」タイプであり、外側の切替凸部２９Ｂが「大」タイプである。それに対し、アーム部２５と対称（回転軸３０を挟んで対称）に位置しているアーム部２７の２つの切替凸部は、共にキャリッジ１１の押圧凸部３１，３２に当接する高さの「大」タイプとなっている。なお、図６（ａ）におけるアーム部２５及びアーム部２７の各切替凸部について、「大」タイプの切替凸部を「ＯＮ」、「小」タイプの切替凸部を「ＯＦＦ」と示してある。
【００２９】
さて、図６（ａ）の待機時の状態では、アーム部２５が上記した「作動位置」に位置している。このとき、切替レバー２４と同軸上にあるロック部材２１は、２本のアームが主走査方向と直角な方向に向いており、ロック部材のアームが上カバー２に設けられた凹部１９から外れたロック解除状態（ロックオフ）となっている。この状態でキャリッジ１１がホームポジションから図の左方向に移動すると、移動方向前側にある押圧凸部３２がアーム部２５の切替凸部２９Ｂに当接して押圧し、切替レバー２４（ロック機構２０）を図において時計回りに９０度回転させ、図６（ｂ）に示す状態となる。
【００３０】
図６（ａ）の状態から図６（ｂ）に示す状態へと、切替レバー２４（ロック機構２０）が時計回りに９０度回転することによって、ロック部材２１も連動して回転し、ロック部材２１の一方のアーム先端が支持アーム１８Ｒから突出して上カバー２の凹部１９内に挿入される。これによって、上カバー２の開放が禁止され、すなわち、上カバー２が閉じた状態でロックされる。この上カバー２がロックされた（開放が禁止された）ロックオン状態は、キャリッジ１１が用紙範囲内を走行移動している間継続されることになる。
【００３１】
図６（ｃ）は、印字が終了してキャリッジ１１がホームポジションに戻り、再び待機状態になった状態を示している。
図６（ｂ）の印字時の状態からキャリッジ１１がホームポジションに戻って図６（ｃ）の状態となる際に、図６（ｂ）で「作動位置」に位置しているのは切替レバー２４のアーム部２６であり、キャリッジ１１の移動方向前側（この場合は、図の右側）にある押圧凸部３１は、アーム部２６の切替凸部２９Ａには当接せずに素通りする。そして、キャリッジ１１の移動方向後ろ側にある押圧凸部３２が、アーム部２６の切替凸部２９Ｂに当接して押圧し、切替レバー２４（ロック機構２０）を図において反時計回りに９０度回転させ、図６（ｃ）に示す状態となる。
【００３２】
図６（ｃ）の待機時に戻った状態では、アーム部２５が再び「作動位置」に位置することになり、このとき、切替レバー２４と同軸上にあるロック部材２１は、２本のアームが主走査方向と直角な方向に向いて上カバー２に設けられた凹部１９から外れたロック解除状態となる。したがって、待機時に戻ったときには、上カバー２のロックは解除されてロックオフとなり、上カバー２を開放することが可能となる。
【００３３】
次に、ジャム発生時の動作について図７を参照して説明する。
図７（ａ）は待機時の状態であり、図６（ａ）と同じである。この状態ではロック解除状態（ロックオフ）となっている。図７（ｂ）は印字時の状態であり、図６（ｂ）と同じである。この状態では、上カバー２がロックされたロックオンとなっている。
【００３４】
そして、プロッタ部１０におけるジャム発生時には、ロック機構２０を図７（ｂ）の状態から、ユーザが手動にて図中時計回りに９０度回転させることで図７（ｃ）の状態となる。これにより、ロック部材２１のアームは上カバー２の凹部１９から外れてロック解除状態（ロックオフ）になり、ユーザは上カバー２を開放してジャム処理を行うことが可能となる。上カバー２が開放されると図示しないセンサがカバー開放を検知し、インターロックがオフとなり、ジャム処理はその状態（インターロック：オフ状態）で行われる。
【００３５】
ジャム処理が終了して上カバー２が閉められると、図示しないセンサがカバー閉鎖を検知することによってインターロックがオンとなり、キャリッジ１１がホームポジションに向かって動き出す。このとき、切替レバー２４のアーム部２７が「作動位置」に位置しているため、キャリッジ１１の移動方向前側にある押圧凸部３１がアーム部２７の切替凸部２９Ａに当接することで、切替レバー２４（ロック機構２０）を図において反時計回りに９０度回転させ、図７（ｄ）に示す状態となってロック機構はロックオン状態となる。
【００３６】
さらにキャリッジ１１が移動して、キャリッジ１１の移動方向後ろ側にある押圧凸部３２が、アーム部２６の切替凸部２９Ｂに当接して押圧することで、切替レバー２４（ロック機構２０）を図において反時計回りに９０度回転させる。これにより、ロック機構２０は図７（ｅ）に示すように、ロック部材２１のアームは上カバー２の凹部１９から外れてロック解除状態（ロックオフ）になる。そして、キャリッジ１１がホームポジションに戻ると再び待機時に戻り、図７（ｅ）の状態となる。
【００３７】
このように、キャリッジ１１の移動に直接連動してロック状態及びロック解除状態を切り替えることのできるロック機構２０を備えることにより、印字中などの危険がある状態での上カバー２の開放を禁止してユーザによる不用意なカバーの開放を防止するとともに、キャリッジに搭載した印字ヘッドの乾燥なども防止することができる。また、ソレノイドやモータなどのメカトロ部品を用いないので、制御が複雑になることもなく、簡単な構成で低コストにカバーのロックおよび解除を可能にすることができる。さらに、メカトロ部品を用いないことにより、異常発生時におけるロック部の規制がかかったままになったり、操作不能になることもない。
【００３８】
プロッタ部でのジャム発生時には、ロック機構２０をユーザが手動で操作することにより、上カバー２を開放することができ、インターロック：オフ状態でジャム処理を実施することができる。そして、ジャム処理終了後に自動的にロック機構２０をロックオン状態に切り替え、さらに、待機状態に戻った後は上カバー２の開放ができるようにロック機構２０をロックオフ状態とすることができる。これらの動作も、キャリッジ１１の移動に直接連動して行われ、ソレノイドやモータなどのメカトロ部品を用いることなく、簡単な構成で低コストに実現可能である。
【００３９】
従来のメカトロ部品を用いたロック機構では、ロックをかける際には通常キャリッジの位置をセンサで見て制御でロックするため、ロック時間が長くなる。しかし、本実施形態では、ロック機構２０を直接キャリッジ１１が動かしてロックさせるために、必要最低限のロック時間のみしかロックしないで済むことができ、ユーザの操作性を向上させることができる。
【００４０】
ところで、上カバー２をロック機構２０のロック部材２１でロックする場合、カバーの一方側（実施例では図３の右側）だけでロックすると、カバーの反対側がロックされず、片開きを起こすおそれがある。
【００４１】
そこで、図８に示すように、上カバー２内に、主操作方向にスライド可能に支持されたスライド部材３５を配設し、このスライド部材３５をロック部材２１が押圧することによって移動させ、スライド部材３５の他端部を反対側の支持アーム１８Ｌに設けた凹部３６内に挿入することで、上カバー２を両側でロックするように構成することで、片開きを防止することができる。スライド部材３５はスプリング３７の付勢力によって図の右方向に付勢されており、ロック部材２１の押圧が無いときには上カバー２内に収納される。
【００４２】
図９は、上カバー２の片開きを防止する別実施例を示す図である。
この図に示す例では、リンク部材３８を介してスライド部材３９を移動させる構成である。リンク部材３８は軸に支持されて回動可能となっており、一端がリンク部材３８にピン結合される。スプリング３７は、リンク部材３８の一辺に作用される。ロック状態ではリンク部材３８の先端部が支持アーム１８Ｒに係合することで片側のロックが行われ、スライド部材３９の先端が反対側で支持アーム１８Ｌに係合することでもう一方側のロックが行われる。ロック機構２０のロック部材２１が回転してリンク部材３８の先端を押し込むことにより、リンク部材３８の先端部が支持アーム１８Ｒから外れるとともに、リンク部材３８の先端部が上カバー２内に引き込まれて支持アーム１８Ｌから外れることによって、ロックが解除される。
【００４３】
以上、本発明を図示例により説明したが、本発明はこれに限定されるものではない。例えば、ロック機構を構成するロック部材２１及び切替レバー２４の形状等は、適宜設定できるものである。また、ロック部材２１と切替レバー２４の位置関係（角度の関係）も、キャリッジの移動によって適切にロックおよびロック解除できるように設定できるものである。切替レバー２４に設ける切替凸部の個数や形状あるいは大きさなども適宜に設定できるものである。
【００４４】
画像形成装置の各部の構成は任意であり、印字ヘッド及びキャリッジの構成も適宜な構成を採用可能である。インクカートリッジをヘッドと共にキャリッジに搭載する構成も可能である。さらに、インクジェット方式に限らず、感熱ヘッド等を走行させて記録を行う方式の画像形成装置にも本発明は適用可能である。もちろん、画像形成装置としてはプリンタに限らず、複写機やファクシミリ、あるいは複数の機能を備える複合機であっても良い。
【符号の説明】
【００４５】
１              プリンタ本体
２              上カバー
３              カートリッジ収納部
５              操作部
６              排紙トレイ
７              本体給紙トレイ
１０            プロッタ部
１１            キャリッジ
１３            キャリッジロッド
１８Ｌ，１８Ｒ  支持アーム
２０            ロック機構
２１            ロック部材
２４            切替レバー（切替部材）
２５，２６，２７，２８  アーム部
２９Ａ，２９Ｂ  切替凸部
３０            回転軸
３１，３２      押圧凸部
３５，３９      スライド部材（伝達部材）
【先行技術文献】
【特許文献】
【００４６】
【特許文献１】特開２００６−２３１７３９号公報
【図１】
2010269514.tif 000003
【図２】
2010269514.tif 000004
【図３】
2010269514.tif 000005
【図４】
2010269514.tif 000006
【図５】
2010269514.tif 000007
【図６】
2010269514.tif 000008
【図７】
2010269514.tif 000009
【図８】
2010269514.tif 000010
【図９】
2010269514.tif 000011